(57)【要約】【課題】  釣魚を大人しくして取り込むための漁具を提供する。【解決手段】  ２本以上の突き刺し棒２５の一端を柄部２３と一体化した漁具１であって、各突き刺し棒２５の他端は、魚体内部を通る過程で他の少なくとも１本の突き刺し棒から離れる方向に魚体から力を受ける先端形状２４を有し、魚体内部を通る過程で、突き刺し棒２５に生じる復元力が魚体を把持する力をもたらす漁具１である。突き刺し棒は、所定間隔で互いに略平行に延びているものであっても、任意の位置で互いの距離が広がり始め他端に向かうにつれ放射状に広がっているものであってもよい。【選択図】  図１
2020058325.tif 000002
【特許請求の範囲】
【請求項１】
２本以上の突き刺し棒の一端を柄部と一体化した漁具であって、
少なくとも１本の突き刺し棒の他端は、魚体内部を通る過程で他の少なくとも１本の突き刺し棒から離れる方向に魚体から力を受ける先端形状を有し、
魚体内部を通る過程で、突き刺し棒に生じる復元力が魚体を把持する力をもたらす漁具。
【請求項２】
特定の２本の突き刺し棒について、先端は、各々の突き刺し棒の中心軸に対して斜めに截断された面を有し、一方の突き刺し棒の截断面における法線ベクトルの、射出方向に対して垂直な面への正射影成分と、前記射出方向に対して垂直な面上で、前記一方の突き刺し棒の先端位置に対応する位置から他方の突き刺し棒の先端位置に対応する位置に向かうベクトルとの内積が、正である請求項１に記載の漁具。
【請求項３】
全ての突き刺し棒から選んだ任意の２本の突き刺し棒について、前記内積が正である請求項２に記載の漁具。
【請求項４】
前記突き刺し棒が、所定間隔で互いに略平行に延びている請求項１乃至請求項３のいずれか一項に記載の漁具。
【請求項５】
前記突き刺し棒が、任意の位置で互いの距離が広がり始め他端に向かうにつれ放射状に広がっている請求項１乃至請求項３のいずれか一項に記載の漁具。
【請求項６】
先端に返しがついていない請求項１乃至請求項５のいずれか一項に記載の漁具。
【請求項７】
突き刺し棒の長さ及び所定間隔は、対象とする魚体の貫通距離、突き刺し棒の材質、突き刺し棒の本数、突き刺し棒の直径、及び、携帯性からなる群より選択される少なくとも１つの要素を考慮して設定される請求項１乃至請求項６のいずれか一項に記載の漁具。
【請求項８】
突き刺し棒の長さ及び所定間隔が、截断面と突き刺し棒とのなす角を考慮して設定されるか、截断面と突き刺し棒とのなす角が、突き刺し棒の仕様長さ及び仕様とする所定間隔を考慮して設定される請求項２乃至請求項６のいずれか一項に記載の漁具。
【発明の詳細な説明】
【技術分野】
【０００１】
本発明は、漁具に関するものである。
【背景技術】
【０００２】
今日、ルアーフィッシングは、ルアーのサイズや動きのバリエーションが広がり、スズキ、ヒラメ、マゴチ等を主な対象としたサーフフィッシングのみならず、シイラ、ハマチ等の大型魚を対象とした船釣りにおいてもメジャーになっている。
【０００３】
使用されるルアーとしては、あらゆる方向からのバイトを確実にフッキングして釣果を伸ばすため、ルアーの前後についた輪（アイ）にスプリットリングを介してトレブルフックと呼ばれる錨形状の三つ叉の鉤針を付けたり、後方アイにトレブルフックを付け、前方アイに補助的なシングルフック（アシストフック）を付けたりする構成が一般的になっている。
【０００４】
いずれにしてもルアーには針が多いことから、釣魚を船内に取り込む過程でのルアーの取り外しには、危険が伴う。特にシイラは、ギャフと呼ばれる鉤状の漁具（非特許文献１）で魚体を引っ掛けてボート側面近くに引き揚げた状態や船内に取り込んだ状態でもなお暴れるほどの力があり、ルアーを外す際、暴れた拍子に針が手にかかりケガをする事例が相次いでいる。
【０００５】
釣魚が暴れるのを防ぐため、例えば、電気ショックを加える方法もあるが、体が水に濡れた状態での使用による感電事故が漁師でも相次いでいることから、乗合船等で一般の釣り人に使用させることは到底勧められない。
【０００６】
釣魚の頭部に打撃を加えるためのフィッシュバットなる道具も存在する（非特許文献２）が、ギャフを持ちながら使用する必要があることに加えて、外部打撃で確実に釣魚の動きを止めるには予め急所の位置を知っている必要があり、その急所に正確に狙いを定めて強い力で殴打する必要があることから、波が高く足場の悪い船内では容易ではない。また、ギャフを使用しない場合は、バットを使用した後でルアーを取り外し、タモ網等に持ち替える手間もある。
【０００７】
そこで、釣り船業界では、シイラを主とする大型魚からのルアーの取り外しに際して、比較的容易に釣魚を大人しくして取り込むことができる漁具の開発が切望されている。
【０００８】
漁具として、日本には古くからヤスと呼ばれる漁具が存在する（特許文献１）。
ヤスには、概ね突き刺し部が二叉、三叉、五叉等に分かれているものがあり、先端に刺した魚が抜けるのを防止する返しがついているものとついていないものとがあるが、基本的に突き刺し部の１本１本の機能が独立しており、その構造は、魚に狙いを付けてヤスを放ってからヤスが魚体に届くまでに魚が動くことを想定して、いずれか１本の先端が魚体に引っかかればよい想定であり、単に突き刺し部が１本刺さっただけでは魚を大人しくすることはできないことが知られている。
【０００９】
また、主にダイビングにおいて、魚の捕獲のために使用される手銛として、突き刺し部相互の間隔が先端に向かうにつれて放射状に広がっているクラスタースピアと呼ばれる漁具も存在する。なかでも三つ又（３-プロング）のものをパラライザーと呼び（非特許文献３）、その先端は、截断されて露出した面が内側に向いており、返しがついているものも提案されている（非特許文献４）。しかしながら、パラライザーを含むクラスタースピアは、基本的に突き刺し部の１本１本の機能が独立しており、１本が魚体に刺さっても、魚体内部を通る過程で、魚体を把持する力をもたらすことはなく、刺さった状態で暴れることがしばしばある。
【先行技術文献】
【特許文献】
【００１０】
【特許文献１】実公昭５４−１４３３号公報
【特許文献２】特公昭４７−００６３８５号公報
【非特許文献】
【００１１】
【非特許文献１】ビッグゲームルアーズウェブサイト（URL: http://www.biggame-lures.com/item/menu/Gaf_Tag.htm#01）
【非特許文献２】ビッグゲームルアーズウェブサイト（URL: http://www.biggame-lures.com/item/TF/TF-BM-FBAT.htm）
【非特許文献３】ダイブウェイズ社ウェブサイト（URL: http://www.diveways.jp/products/speargun.htm）
【非特許文献４】スピアシールズ社ウェブサイト（URL: http://spear-seals.com/product/）
【発明の概要】
【発明が解決しようとする課題】
【００１２】
以上のような現状に鑑み、本発明は、釣魚を大人しくして取り込むための漁具の提供を目的とする。
【課題を解決するための手段】
【００１３】
上記目的を達成するためになされた本発明の１つの側面は、２本以上の突き刺し棒の一端を柄部と一体化した漁具であって、少なくとも１本の突き刺し棒の他端は、魚体内部を通る過程で他の少なくとも１本の突き刺し棒から離れる方向に魚体から力を受ける先端形状を有し、魚体内部を通る過程で、突き刺し棒に生じる復元力が魚体を把持する力をもたらす漁具である。少なくとも１本の突き刺し棒がかかる構成を有することで、他の少なくとも１本の突き刺し棒と協働して、魚体を挟み込み把持しようとする力がもたらされ、ルアーの取り外しに支障ない程度に釣魚を大人しくして取り込むことができる。
【００１４】
上記漁具において、特定の２本の突き刺し棒について、先端は、各々の突き刺し棒の中心軸に対して斜めに截断された面を有し、一方の突き刺し棒の截断面における法線ベクトルの、射出方向に対して垂直な面への正射影成分と、前記射出方向に対して垂直な面上で、前記一方の突き刺し棒の先端位置に対応する位置から他方の突き刺し棒の先端位置に対応する位置に向かうベクトルとの内積が、いずれの突き刺し棒を基準としても正値であることが好ましい。各棒は、その長手方向に沿った中心軸線に対して垂直でない面で切断することにより、魚体に突き刺さった際、截断面の法線ベクトルの射出方向に対して垂直な面への正射影成分に比例する力を反対方向に受ける。したがって、特定の２本の突き刺し棒に注目して、一方の棒の截断面の法線ベクトルの正射影成分と、射出方向に対して垂直な面上で、一方の棒の先端位置に対応する位置から他方の棒の先端位置に対応する位置に向かうベクトルとのなす角度が、鋭角である場合、その２本の突き刺し棒は互いに離れる方向に力を受け、その際突き刺し棒に生じる復元力により、把持する力が生み出される。
【００１５】
上記漁具において、全ての突き刺し棒から選んだ任意の２本の突き刺し棒について、いずれの突き刺し棒を基準としても前記内積が正であることが好ましい。かかる構成であると、全ての突き刺し棒が魚体に刺されば、全ての突き刺し棒が互いに離れる方向の力を受け、その際突き刺し棒の各々に生じる復元力により、突き刺し棒によって包囲された魚体の領域に強力な圧迫力を加えることができる。また全ての突き刺し棒が魚体に刺さらない場合でも、刺さった突き刺し棒と刺さっていない突き刺し棒との間に挟み込む形で効果的な圧迫力を加えることができる。
【００１６】
上記漁具において、突き刺し棒は、所定間隔で互いに略平行に延びているものであることが好ましい。突き刺す前においてほぼ平行な構成とすることで、魚体に打突した瞬間から、他の突き刺し棒との間隔が直ちに広がり、それに伴う大きな復元力によって、他の突き刺し棒との間にある魚体を挟み込む力が生じやすい。
【００１７】
上記漁具において、突き刺し棒は、任意の位置で互いの距離が広がり始め他端に向かうにつれ放射状に広がっているものであってもよい。突き刺す前において放射状に広げておくことで、魚体の広範囲を射程とする漁具とすることができる。
【００１８】
上記漁具は、先端に返しがついていないものであってもよい。返しがついていなくても、少なくとも１本の突き刺し棒が魚体内部にある程度進入するか、または、魚体をある程度貫通すれば、復元力によって、他の少なくとも１本の突き刺し棒との間に魚体を挟み込み把持しようとする力がもたらされる。したがって、魚が外れる虞もなく、返しと同等の役割を果たすことができる。
【００１９】
上記漁具において、突き刺し棒の長さ及び所定間隔は、対象とする魚体の貫通距離、突き刺し棒の材質、突き刺し棒の本数、突き刺し棒の直径、及び、携帯性からなる群より選択される少なくとも１つの要素を考慮して設定されるものであることが好ましい。これらの要素を考慮することにより、魚種や用途に応じた適切な長さと間隔の突き刺し棒を備えた漁具が得られる。
【００２０】
上記漁具において、突き刺し棒の長さ及び所定間隔は、截断面と突き刺し棒とのなす角を考慮して設定してもよい。切頂角により、突き刺し棒が受ける力が変化するからである。
【発明の効果】
【００２１】
本発明によれば、ルアーの取り外しに支障ない程度に釣魚を大人しくして取り込むことができる全く新しいコンセプトの漁具が得られる。
【図面の簡単な説明】
【００２２】
【図１】本発明の実施態様に係る漁具の斜視図。
【図２】本発明の実施態様を含む様々な漁具を横から視たときの突き刺し棒の配置とその先端の截断面の向きを示す概略図。
【図３】図２（ａ）から（ｄ）の漁具を射出方向から視たときの突き刺し棒の配置とその先端の截断面の向きを示す概略図。
【図４】截断面を有する１本の突き刺し棒が魚体に垂直（ａ）または斜め（ｃ）に突き刺さった際に働く力を示す概念図。
【図５】漁具が魚体に突き刺さった状態を射出方向から視たときの突き刺し棒の変位と復元力の向きを示す概念図。
【発明を実施するための形態】
【００２３】
まず本発明の原理について以下に図面を参照して説明する。
図１に示すように、本発明の漁具１は典型的には、柄部２３と該柄部２３に連結された複数本の突き刺し棒２５とで構成されている。
【００２４】
図２および図３では、横方向および他端側（漁具の射出方向）から視たときの突き刺し棒５，７，９，１１の配置の仕方が異なる漁具３１，４１，５１，６１を例示している。なお、突き刺し棒の間隔は、実際より誇張して大きく描いている。
図２（ａ）および図３（ａ）において、突き刺し棒５は、柄部３の輪郭を形作る円周６の内側に沿って当該円周６を４等分するように９０°間隔で配置されている（５ａ，５ｂ，５ｃ，５ｄ）。
図２（ｂ）および図３（ｂ）において、突き刺し棒７は、柄部３の輪郭を形作る円の中心に配置された７ａ、柄部３の輪郭を形作る円周６の内側に沿って当該円周６を４等分するように９０°間隔で４本配置された７ｂ，７ｃ，７ｄ，７ｅがある。
図２（ｃ）および図３（ｃ）において、突き刺し棒９は、９ａ，９ｂ，９ｃの合計３本あり、柄部３との連結部分においては、柄部３の輪郭を形作る円周６の内側に沿って当該円周６を３等分するように１２０°間隔で配置されており、他端に向かうにつれて互いの距離が広がり始め、先端の位置で円周６の外側にあり、互いに最も離れた状態になっている。
図２（ｄ）および図３（ｄ）において、突き刺し棒１１は、柄部３の輪郭を形作る円周６の内側に沿って当該円周６を３等分するように１２０°間隔で配置されている（１１ａ，１１ｂ，１１ｃ）。
【００２５】
好ましい態様では、突き刺し棒の他端は、該突き刺し棒の中心軸に対して斜め、すなわち中心軸に対して垂直でない面によって截断されてあらわれる平面または曲面を有する。以下では、「截断されてあらわれる平面または曲面」のことを「截断面」と総称することがある。
【００２６】
図４（ａ）および図４（ｂ）は、図２（ａ）および図３（ａ）のような漁具において、截断面４を有する１本の突き刺し棒５が魚体に垂直に突き刺さった際に働く力を示す。突き刺し棒５が魚体に垂直に射出し、射出方向に力Ｆを与えたとする。このとき、截断面４と突き刺し棒５とのなす角をθとすると、魚体の截断面４に垂直な方向、すなわち法線ベクトル８の方向にはＦｓｉｎθの力が働くことになる。その際、作用・反作用の法則により、突き刺し棒自体は、截断面に垂直な方向、すなわち法線ベクトルとは逆方向にＦｓｉｎθの力を受ける。したがって、突き刺し棒のＦｓｉｎθの力のうち、射出方向に垂直な面１３に沿ってＦｓｉｎθｃｏｓθの力が働くことになる。この変位力を受け、突き刺し棒は、魚体内部２０を通りつつ截断面４がある側とは反対側に変位していく。そのため、突き刺し棒５の根元、すなわち柄部３との接合部位付近から先端に向かうにつれ緩やかに外側にしなって拡がった形状に変形し、それに抗するように突き刺し棒５の剛性に起因する復元力が魚体に働く。なお、図４（ｃ）および図４（ｄ）は、図２（ｃ）および図３（ｃ）のような漁具において、突き刺し棒９が魚体に斜めに突き刺さった際に働く力を示しているが、この際の射出方向に垂直な面１５に沿った力、すなわち変位力は、突き刺し棒９の入射角αとして、Ｆｓｉｎ（θ＋α）ｃｏｓ（θ＋α）と一般化できる。この結果は、突き刺し棒９が魚体に斜めに突き刺さるような漁具において変位力を高めるためには、魚体に垂直に入射する突き刺し棒に比べて、予め先端が鋭利な突き刺し棒を用意する必要があることを示している。
【００２７】
図３では、各突き刺し棒５，７，９，１１の先端の截断面４をハッチングで示している。突き刺し棒の各々の中心点は、射出方向に対して垂直な面上で、突き刺し棒の先端位置に対応する位置を表している。なお、図３では、截断面の向きをわかりやすくするため、各突き刺し棒の輪郭を構成する円の半分についてハッチングを付したが、先端の半分のみ斜めに截断している必要はない。より好ましい態様では、先端に射出方向に対して垂直な面が残らないように斜めに截断する。
図３（ａ）の突き刺し棒において、截断面４の法線ベクトル８を射出方向に対して垂直な面１３に正射影した成分は、１２ａ，１２ｂ，１２ｃ，１２ｄである。ここで例えば、特定の２本の突き刺し棒５ａと５ｂに注目したとき、射出方向に対して垂直な面１３上で、突き刺し棒５ａの先端位置に対応する位置（突き刺し棒５ａの中心点Ａ）から突き刺し棒５ｂの先端位置に対応する位置（突き刺し棒５ｂの中心点Ｂ）に向かうベクトルＡＢと、正射影成分１２ａとの内積は、負であり、ベクトルＡＢと正射影成分１２ａとのなす角は、鈍角である。一方、突き刺し棒５ｂの先端位置に対応する位置（突き刺し棒５ｂの中心点Ｂ）から突き刺し棒５ａの先端位置に対応する位置（突き刺し棒５ａの中心点Ａ）に向かうベクトルＢＡと、正射影成分１２ｂとの内積は、正であり、ベクトルＢＡと正射影成分１２ｂとのなす角は、鋭角である。これは、上記以外の特定の２本の突き刺し棒５ｂと５ｃ、５ｃと５ｄに注目した場合も同様であり、内積は、いずれか一方が正で、他方が負になる。柄部３の輪郭を形作る円の中心を通る直線上に位置する５ａと５ｃおよび５ｂと５ｄの関係では、内積はともに０になる。
図３（ｂ）の突き刺し棒のうち、７ａについては、截断面を有さず、先端が円錐形状を有している。残る７ｂ，７ｃ，７ｄ，７ｅについて、截断面４の法線ベクトル８の射出方向に対して垂直な面１３への正射影成分は、１４ｂ，１４ｃ，１４ｄ，１４ｅである。ここで例えば、特定の２本の突き刺し棒７ｂと７ｃに注目したとき、先端は、各々の突き刺し棒７ｂ，７ｃの中心軸に対して斜めに截断された面４ｂ，４ｃを有する。そして射出方向に対して垂直な面１３上で、突き刺し棒７ｂの先端位置に対応する位置（突き刺し棒７ｂの中心点Ｂ）から突き刺し棒７ｃの先端位置に対応する位置（突き刺し棒７ｃの中心点Ｃ）に向かうベクトルＢＣと、正射影成分１４ｂとの内積は、正であり、突き刺し棒７ｃの先端位置に対応する位置（突き刺し棒７ｃの中心点Ｃ）から突き刺し棒７ｂの先端位置に対応する位置（突き刺し棒７ｂの中心点Ｂ）に向かうベクトルＣＢと、正射影成分１４ｃとの内積もまた、正である。
図３（ｃ）の突き刺し棒９ａ，９ｂ，９ｃにおいて、截断面４の法線ベクトル８の射出方向に対して垂直な面１５への正射影成分は、１６ａ，１６ｂ，１６ｃである。ここで例えば、特定の２本の突き刺し棒９ａと９ｂに注目したとき、射出方向に対して垂直な面１３上で、突き刺し棒９ａの先端位置に対応する位置（突き刺し棒９ａの中心点Ａ）から突き刺し棒９ｂの先端位置に対応する位置（突き刺し棒９ｂの中心点Ｂ）に向かうベクトルＡＢと、正射影成分１６ａとの内積は、正であり、突き刺し棒９ｂの先端位置に対応する位置（突き刺し棒９ｂの中心点Ｂ）から突き刺し棒９ａの先端位置に対応する位置（突き刺し棒９ａの中心点Ａ）に向かうベクトルＢＡと、正射影成分１６ｂとの内積もまた、正である。
図３（ｄ）の突き刺し棒１１ａ，１１ｂ，１１ｃにおいて、截断面４の法線ベクトル８の射出方向に対して垂直な面１３への正射影成分は、１８ａ，１８ｂ，１８ｃである。ここで例えば、特定の２本の突き刺し棒１１ａと１１ｂに注目したとき、射出方向に対して垂直な面１３上で、突き刺し棒１１ａの先端位置に対応する位置（突き刺し棒１１ａの中心点Ａ）から突き刺し棒１１ｂの先端位置に対応する位置（突き刺し棒１１ｂの中心点Ｂ）に向かうベクトルＡＢと、正射影成分１６ａとの内積は、負であり、突き刺し棒１１ｂの先端位置に対応する位置（突き刺し棒１１ｂの中心点Ｂ）から突き刺し棒１１ａの先端位置に対応する位置（突き刺し棒１１ａの中心点Ａ）に向かうベクトルＢＡと、正射影成分１６ｂとの内積もまた、負である。本明細書において、「截断面の法線ベクトル」は、截断面が平面の場合は、截断面のどの位置でも同じ方向であるため一意に決まるが、截断面が曲面の場合は、截断面の位置によって異なり、曲面上のいずれかの位置での法線ベクトルを意味する。
【００２８】
図５（ａ）から（ｄ）には、図２および図３の（ａ）から（ｄ）の各配置において、全ての突き刺し棒が魚体に刺さった場合の変位と、それによって働く力について誇張して描いている。
図５（ａ）では、魚体内部を通る際に截断面４が受ける力によって、突き刺し棒５ａ，５ｂ，５ｃ，５ｄの先端が柄部の輪郭を形作る円周の外側に一部出ている。この状態で、４本の突き刺し棒５ａ，５ｂ，５ｃ，５ｄの各々に生じる復元力は、総じて魚体の突き刺し棒で囲まれた領域をねじるように働く力として作用し、把持力として作用することはない。
図５（ｂ）では、魚体内部を通る際に截断面４が受ける力によって、突き刺し棒７ｂ，７ｃ，７ｄ，７ｅの先端がそれぞれ半径方向に沿って円周の外側に変位している。なお、７ａは、截断面を有しないことにより、射出方向に垂直な面に沿った力が全方向から加わることによって釣り合った状態で魚体内部を通ることから、先端の位置としては円周の中心から全く変位していない。この状態で突き刺し棒７ｂ，７ｃ，７ｄ，７ｅには半径方向中心に向かう復元力が生じ、総じて魚体の突き刺し棒７ｂ，７ｃ，７ｄ，７ｅで囲まれた領域を挟み込む把持力として作用する。
図５（ｃ）では、魚体内部を通る際に截断面４が受ける力によって、突き刺し棒９ａ，９ｂ，９ｃの先端がそれぞれ半径方向にさらに拡がっている。この状態で突き刺し棒９ａ，９ｂ，９ｃには半径方向中心に向かう復元力が生じ、総じて魚体の突き刺し棒９ａ，９ｂ，９ｃで囲まれた領域を挟み込む把持力として作用する。
図５（ｄ）では、魚体内部を通る際に截断面４が受ける力によって、突き刺し棒１１ａ，１１ｂ，１１ｃの先端が柄部の輪郭を形作る円周６の内側に半径方向と周方向とに同じだけ変位している。この状態で突き刺し棒１１ａ，１１ｂ，１１ｃの各々には円周６の内側に沿った位置に戻る復元力が作用するが、この復元力は、総じて魚体の突き刺し棒１１ａ，１１ｂ，１１ｃで囲まれた領域をねじりながら広げる力として作用し、把持力として作用することはない。
【００２９】
以上の検討から明らかなように、全ての突き刺し棒が魚体に刺さることを前提にしたとき、魚体内部を通る過程で、突き刺し棒に生じる復元力が魚体を把持する力をもたらすようにするためには、特定の２本の突き刺し棒について、先端が、各々の突き刺し棒の中心軸に対して斜めに截断された面を有し、射出方向に対して垂直な面上で、一方の突き刺し棒の先端位置に対応する位置から他方の突き刺し棒の先端位置に対応する位置に向かうベクトルと、前記一方の突き刺し棒の截断面における法線ベクトルの、前記射出方向に対して垂直な面への正射影成分との内積が、正であることが原理上望ましいとわかる。さらに好ましい態様では、全ての突き刺し棒から選んだ任意の２本の突き刺し棒について、前記内積が正である。截断面が曲面の場合は、曲面上のいずれかの位置での法線ベクトルの正射影成分に関して、上記内積の要件を満たせば足りる。
【００３０】
なお、図２および図３の（ａ）から（ｄ）の各配置においても、複数本ある突き刺し棒の一部の本数しか魚体に刺さらない場合、刺さった１本の突き刺し棒に生じる復元力が、刺さらず変位しなかった又は刺さっても変位しない先端形状を有していた他のいずれかの突き刺し棒との関係において魚体を把持する力をもたらすことはある。したがって、上記内積に関する要件は、発明に必須の要件ではないが、要件を満たせば、２本の突き刺し棒のどちらが魚体にあたったとしても把持力を生じさせることができることから、満たすことが好ましい要件といえる。
【００３１】
以下では、漁具を製造する際に検討してもよい詳細な条件について述べる。
図４で検討したように、截断面４と突き刺し棒５，９とのなす角θは、突き刺し棒５，９が受ける力に影響する。特に、射出方向と垂直な面１３に沿った方向に受ける力は、当該方向に沿った突き刺し棒５，９の変位に影響するので、所定間隔をどの程度に設定すべきかに影響する。また截断面４と突き刺し棒５，９とのなす角は、突き刺し棒５，９の先端が魚体を貫通した後、残っている運動エネルギーにも影響するので、突き刺し棒５，９の長さをどの程度に設定すべきかに影響する。すなわち、突き刺し棒５，９の長さ及び所定間隔は、截断面４と突き刺し棒５，９とのなす角を考慮して設定することができ、逆に言えば、截断面４と突き刺し棒５，９とのなす角は、携帯性等の他の要素を考慮して設定される突き刺し棒の仕様長さ及び仕様とする所定間隔を考慮して設定することができる。
【００３２】
截断面と突き刺し棒とのなす角θは、射出方向に垂直な面に沿った力が、θ＝４５°で最大になることから、早期に大きな把持力を生じさせる観点では、４５°とすることが好ましいが、魚体への突き刺さりやすさや魚体から受ける抵抗力Ｆｓｉｎ２θを考慮した魚体内部への侵入のしやすさを考えると、４５°未満、すなわち鋭角に設定される。角θの好ましい範囲は、０°〜４０°であり、好ましい下限は、５°、好ましい上限は、３５°である。より好ましい上限は、６０°、さらに好ましい上限は３０°である。
【００３３】
突き刺し棒の長さ及び所定間隔は、対象とする魚体の貫通距離、突き刺し棒の材質、突き刺し棒の本数、突き刺し棒の直径、及び、携帯性からなる群より選択される少なくとも１つの要素を考慮して設定することができる。
【００３４】
対象とする魚体に入射してから貫通するまでの貫通距離は、船釣りでは主にシイラを想定するので、斜めに刺さる場合の標準的な距離として、概ね３０ｃｍ〜５０ｃｍを想定するが、ショアジギングを想定する場合、シイラより小さい魚種も想定するため、下限は特に限定されない。但し、シイラより大きな魚種、例えば、カジキマグロ等に対しては、成人男性が腕力で打ち込んだとしても刺さりにくいので、上限は概ね５０ｃｍ程度となる。
【００３５】
突き刺し棒の材質としては、漁具が海釣りで使用されることを想定して耐塩水性、耐腐食性を有する材質であることが好ましく、FC200等のねずみ鋳鉄、FCD370等のダクタイル鋳鉄、SCPH2等の鋳鋼系材料、SUS304、SUS316、SUS443J1等のステンレス、ニッケル、モネル、ハステロイ等のニッケル合金、マグネシウム合金が挙げられるが、コストを考慮すると、ステンレスが好ましく、切削加工性の観点ではねずみ鋳鉄が好ましい。
【００３６】
突き刺し棒の本数は、２本以上であれば特に限定されないが、本数を増やすほど重さの問題が出てくるため、５本程度が上限となる。好ましい態様では、３本または４本である。
【００３７】
突き刺し棒の直径は、中実のステンレス製の棒を使用する場合、通常、５ｍｍ〜８ｍｍに設定される。
【００３８】
突き刺し棒の長さは、例えば、中実のＳＵＳを４本使用する場合、突き刺し棒の直径が５ｍｍ径であれば長さ４０ｃｍ〜５０ｃｍ、８ｍｍ径であれば長さは５５ｃｍ〜６５ｃｍが好適に採用される。この範囲とすることで、大体突き刺し棒の長さの半分程度刺さったところで止まるようになっている。
【００３９】
突き刺し棒の剛性（ヤング率）に関しては、魚体からそれほど大きな力を受けるわけではないため、必ずしも検討する必要はないが、検討してもよい。
【００４０】
携帯性は、突き刺し棒の長さや直径の増加に伴って必然的に重くなるため、用途を考慮すると重要である。例えば、船釣りでは船に常時設置いておけばよいので、突き刺し棒が多少長くても問題ないが、ショアジギングでは頻繁にポイントを探し歩いて釣るのが一般的であるので、持ち歩くことを考え、突き刺し棒は短く細径で軽量であることが望ましい。
【００４１】
次に本発明を実施するための形態について以下に図面を参照して説明する。
（第１の実施形態）
図１の漁具１は、柄部２３と４本の突き刺し棒２５とで構成されている。柄部２３は、持ち手であり、有底円筒形状である。一方、４本の突き刺し棒２５は、直径が５ｍｍの中実ＳＵＳ製棒からなり、互いに長さが等しく、４５ｃｍである。当該円筒の底部中心付近には正方形で囲まれた領域内に互いに１ｍｍ間隔で４箇所貫通孔２７が開けられており、該貫通孔２７に中実突き刺し棒２５の一端を挿入し、柄部２３と溶接により一体化している。突き刺し棒２５の截断面２４は、向き合うように配置されており、全ての突き刺し棒２５から選んだ任意の２本の突き刺し棒について、一方の突き刺し棒の截断面における法線ベクトルの、射出方向に対して垂直な面への正射影成分と、前記射出方向に対して垂直な面上で、前記一方の突き刺し棒の先端位置に対応する位置から他方の突き刺し棒の先端位置に対応する位置に向かうベクトルとの内積が、いずれの突き刺し棒を基準としても正値になっている。
【００４２】
柄部２３の末端には環状部２９を備えている。環状部２９には紐の一端を結びつけることができ、他端は、船に結び付けられている。これにより、釣魚めがけて漁具が手からすっぽ抜けた場合も、直ちに海から回収することができる。
【００４３】
本発明に係る漁具が魚体内部へ侵入することで魚が大人しくなる原因やメカニズムは不明であり、またそれが本発明の技術的範囲を制限するものではないが、突き刺し棒が互いの距離を広げながら複数箇所に分散して突き刺さることで、突き刺し棒の復元力に起因する魚体を圧迫・拘束する強い把持力が加わり、これが電極のように作用することで、魚体に電気ショックを受けたのと同様のショック状態をもたらしているものと推察される。
【００４４】
ルアーは、本発明の漁具が魚体に突き刺さった状態で、取り外しにかかってもよいし、一旦漁具ごと船内に取り込み、取り外してもよい。
【００４５】
なお、本発明の実施の形態は上記実施形態に何ら限定されるものではなく、また、上記実施形態に説明される構成のすべてが本発明の必須要件であるとは限らない。本発明は、その技術的思想を逸脱しない範囲において、当該技術的範囲に属する限り種々の改変等の形態を採り得る。例えば、突き刺し棒は中実の棒としたが、摩擦力の増加というデメリットより軽量化のメリットの方が優先される場合は、中空の棒、即ち円筒状の棒にしてもよい。また漁具の射出方向に垂直な面に沿った突き刺し棒の断面形状は、余計な摩擦を避けるため円形としたが、特に限定されない。
【００４６】
２本以上の突き刺し棒は、上述した把持力をもたらす限りにおいて、長さや太さが全て同じである必要はなく、相互に異なるものであってもよい。ここで長さが異なる場合、射出方向に対して垂直な面上で、突き刺し棒の先端位置に対応する位置とは、突き刺し棒の先端位置から射出方向に対して垂直な面に下ろした垂線の当該面との交点を意味する。
【産業上の利用可能性】
【００４７】
本発明は、船を主とするルアーフィッシングにおいて、ルアーの取り外しに先立ち釣魚を大人しくするための漁具として釣り船に備え付けたり、サーフで釣り人が携帯し、大型魚の捕獲の際、波打ち際で魚の興奮状態を鎮めるために適宜使用したりすることができる。
【符号の説明】
【００４８】
１，３１，４１，５１，６１  漁具
３，２３  柄部
４，２４  截断面
５，５ａ，５ｂ，５ｃ，５ｄ，７，７ａ，７ｂ，７ｃ，７ｄ，７ｅ，９，９ａ，９ｂ，９ｃ，１１，１１ａ，１１ｂ，１１ｃ，２５  突き刺し棒
６  柄部の円周
８  法線ベクトル
１２ａ，１２ｂ，１２ｃ，１２ｄ，１４ｂ，１４ｃ，１４ｄ，１４ｅ，１６ａ，１６ｂ，１６ｃ，１８ａ，１８ｂ，１８ｃ  正射影成分
１３，１５  射出方向に垂直な面
２０  魚体内部
２９  環状部
Ａ，Ｂ，Ｃ  突き刺し棒の先端位置に対応する位置
【図１】
2020058325.tif 000003
【図２】
2020058325.tif 000004
【図３】
2020058325.tif 000005
【図４】
2020058325.tif 000006
【図５】
2020058325.tif 000007